(57)【要約】【課題】ハウジングが鋳物で構成される場合であっても、長期に亘って安定した密封性を維持することが可能な密封装置を提供する。【解決手段】ハウジング３００に設けられた軸孔の内周面に密着した状態で嵌合される円筒部１１１を有する金属環１１０と、板状かつ環状の樹脂部材により構成され、外周側が金属環１１０に固定されて、内周側が密封対象領域側に向かって湾曲するように変形した状態で軸２００の外周面に摺動自在に密着する樹脂製シール１２０と、板状かつ環状の金属部材により構成され、外周側が金属環１１０に固定されて、内周側が樹脂製シール１２０に沿って湾曲するように変形し、樹脂製シール１２０の内周側を径方向内側に向かって押圧する板バネ１３０と、を備えることを特徴とする。【選択図】図５
2015203491.tif 000002
【特許請求の範囲】
【請求項１】
相対的に移動する軸とハウジングとの間の環状隙間を密封する密封装置において、
前記ハウジングに設けられた軸孔の内周面に密着した状態で嵌合される円筒部を有する金属環と、
板状かつ環状の樹脂部材により構成され、外周側が前記金属環に固定されて、内周側が密封対象領域側に向かって湾曲するように変形した状態で前記軸の外周面に摺動自在に密着する樹脂製シールと、
板状かつ環状の金属部材により構成され、外周側が前記金属環に固定されて、内周側が前記樹脂製シールに沿って湾曲するように変形し、該樹脂製シールの内周側を径方向内側に向かって押圧する板バネと、
を備えることを特徴とする密封装置。
【請求項２】
前記板バネには、内周端から外周端側に向かって伸びる内周側スリットが周方向に間隔を空けて複数設けられていることを特徴とする請求項１に記載の密封装置。
【請求項３】
前記内周側スリットは、内周端から外周端側に向かって、前記板バネが湾曲する位置よりも外周端側の位置まで伸びていることを特徴とする請求項２に記載の密封装置。
【請求項４】
前記板バネには、外周端から内周端側に向かって伸びる外周側スリットが周方向に間隔を空けて複数設けられており、前記内周側スリットと外周側スリットは周方向に交互に設けられていることを特徴とする請求項２または３に記載の密封装置。
【請求項５】
前記板バネの内周側は、密封対象領域側に向かって湾曲するように折り曲げ加工が施されていることを特徴とする請求項１〜４のいずれか一つに記載の密封装置。
【請求項６】
前記樹脂製シールの内周側は、密封対象領域側に向かって湾曲するように折り曲げ加工が施されていることを特徴とする請求項５に記載の密封装置。
【請求項７】
前記金属環の内周面側に固定される固定環を備えると共に、
前記金属環における密封対象領域とは反対側には径方向内側に向かって伸びる内向きフランジ部が設けられており、
前記固定環が前記金属環の内周面側に配置された状態で、前記金属環における密封対象領域側の端部が前記固定環の端部に突き当たるように径方向内側に向かって折り曲げられて加締め部が形成されることにより、前記樹脂製シールの外周側の端部と、前記板バネの外周側の端部が、前記内向きフランジ部と前記固定環との間に圧縮されることによって、これら樹脂製シールの外周側と板バネの外周側が前記金属環に固定されることを特徴とする請求項１〜６のいずれか一つに記載の密封装置。
【請求項８】
前記板バネの外周側には、前記金属環の内周面側に固定される固定環状部が設けられると共に、
前記金属環における密封対象領域とは反対側には径方向内側に向かって伸びる内向きフランジ部が設けられており、
前記板バネの固定環状部が前記金属環の内周面側に配置された状態で、前記金属環における密封対象領域側の端部が前記固定環状部の端部に突き当たるように径方向内側に向かって折り曲げられて加締め部が形成されることにより、前記樹脂製シールの外周側の端部が、前記内向きフランジ部と前記板バネとの間に圧縮されることによって、該樹脂製シールの外周側が前記金属環に固定されることを特徴とする請求項１〜６のいずれか一つに記載の密封装置。
【発明の詳細な説明】
【技術分野】
【０００１】
本発明は、樹脂製シールを備える密封装置に関する。
【背景技術】
【０００２】
相対的に移動する軸とハウジングとの間の環状隙間を密封する密封装置において、ＥＧＲなどの排気ガス系統の他、高温環境下で用いられる場合には、ゴム製の密封装置では品質を維持することが困難な場合がある。このような場合、従来、耐熱性，耐圧性及び耐薬品性に優れ、かつ摺動摩耗の少ないＰＴＦＥなどの樹脂製シールを用いた密封装置が用いられている。図１４を参照して、このような従来例１に係る密封装置について説明する。図１４は従来例１に係る密封装置の模式的断面図である。
【０００３】
この従来例１に係る密封装置５００は、ＰＴＦＥ製の樹脂製シール５１０と金属製の板バネ５２０とから構成される。樹脂製シール５１０は、内周リップ５１１と外周リップ５１２とを備えている。また、板バネ５２０は、断面形状がＶ字形状となるように折り曲げられており、内周リップ５１１を押圧する内周側押圧部５２１と、外周リップ５１２を押圧する外周側押圧部５２２とを備えている。ＰＴＦＥは、上記の通り、耐熱性等に優れているものの、高温環境下で長期使用されることで、クリープ現象により経時的にへたりが生じ、密封性が低下していくという欠点を有している。これに対して、この従来例１に係る密封装置５００においては、板バネ５２０によって、内周リップ５１１と外周リップ５１２を押圧することにより、これらのリップ自体にへたりが生じても、密封性の低下を抑制するが可能となっている。
【０００４】
一方、近年、各種機器の軽量化を図るために、ハウジングの材料としてアルミニウムの採用化が進んでいる。アルミニウム製のハウジングの場合、鋳型により製造されるため、ハウジングは鋳物となる。鋳物の場合、その表面に鋳巣が多数存在しているため、接触部分が線接触となるようなシールリップでは、安定した密封性を維持することはできない。そのため、このようなハウジングの場合には、ハウジングに設けられた軸孔の内周面に密着した状態で嵌合される円筒部を有する金属環を備える密封装置が用いられている。図１５を参照して、このような従来例２に係る密封装置について説明する。図１５は従来例２に係る密封装置の模式的断面図である。
【０００５】
この従来例２に係る密封装置６００は、金属環６１０と、ＰＴＦＥ製の樹脂製シール６２０と、樹脂製シール６２０を金属環６１０に固定するための固定環６３０とから構成される。金属環６１０は、ハウジング３００に設けられた軸孔の内周面に密着した状態で嵌合される円筒部を有している。これにより、ハウジング３００が鋳物であっても、金属環６１０の外周面とハウジング３００の軸孔の内周面との間に十分な密封性を得ることができる。また、樹脂製シール６２０は、板状かつ環状の樹脂部材により構成される。そして、この樹脂製シール６２０は、固定環６３０によって、外周側が金属環６１０に固定されて、内周側が密封対象領域側に向かって湾曲するように変形した状態で軸２００の外周面に摺動自在に密着する。
【０００６】
以上のように構成される密封装置６００によって、相対的に移動する軸２００とハウジング３００との間の環状隙間が密封される。しかしながら、この密封装置６００の場合には、高温環境下で長時間使用されると、樹脂製シール６２０にへたりが生じる。そのため、高温環境下で使用される条件においては、従来例１に係る密封装置５００のように、長期に亘って安定的な密封性を維持することはできない。
【先行技術文献】
【特許文献】
【０００７】
【特許文献１】特許第５２５２８７８号公報
【特許文献２】特公平６−１０３０６９号公報
【特許文献３】実公平６−４５０９８号公報
【発明の概要】
【発明が解決しようとする課題】
【０００８】
本発明の目的は、ハウジングが鋳物で構成される場合であっても、長期に亘って安定した密封性を維持することが可能な密封装置を提供することにある。
【課題を解決するための手段】
【０００９】
本発明は、上記課題を解決するために以下の手段を採用した。
【００１０】
すなわち、本発明の密封装置は、
相対的に移動する軸とハウジングとの間の環状隙間を密封する密封装置において、
前記ハウジングに設けられた軸孔の内周面に密着した状態で嵌合される円筒部を有する金属環と、
板状かつ環状の樹脂部材により構成され、外周側が前記金属環に固定されて、内周側が密封対象領域側に向かって湾曲するように変形した状態で前記軸の外周面に摺動自在に密着する樹脂製シールと、
板状かつ環状の金属部材により構成され、外周側が前記金属環に固定されて、内周側が前記樹脂製シールに沿って湾曲するように変形し、該樹脂製シールの内周側を径方向内側に向かって押圧する板バネと、
を備えることを特徴とする。
【００１１】
本発明の密封装置は、ハウジングに設けられた軸孔の内周面に密着した状態で嵌合される円筒部を有する金属環を備える構成を採用している。これにより、ハウジングが鋳物で構成される場合であっても、金属環の外周面とハウジングの軸孔の内周面との間に十分な密封性を得ることができる。また、本発明の密封装置は、板状かつ環状の樹脂部材により構成され、外周側が金属環に固定されて、内周側が密封対象領域側に向かって湾曲するように変形した状態で軸の外周面に摺動自在に密着する樹脂製シールを備える構成を採用している。これにより、ゴム状弾性体製のシールを用いた場合に比べて、耐熱性等に優れ、かつ摺動摩耗を少なくすることができる。そして、本発明の密封装置は、樹脂製シールの内周側を径方向内側に向かって押圧する板バネを備えているので、樹脂製シール自体にへたりが生じても、長期に亘って安定した密封性を維持することができる。
【００１２】
前記板バネには、内周端から外周端側に向かって伸びる内周側スリットが周方向に間隔を空けて複数設けられているとよい。
【００１３】
これにより、板バネの内周側の剛性を低下させることができ、樹脂製シールに対する押圧力が高くなり過ぎないように調整することが可能となる。
【００１４】
前記内周側スリットは、内周端から外周端側に向かって、前記板バネが湾曲する位置よりも外周端側の位置まで伸びているとよい。
【００１５】
これにより、板バネの内周側の剛性をより一層低下させることができ、樹脂製シールに対する押圧力が高くなり過ぎないように調整することが可能となる。
【００１６】
前記板バネには、外周端から内周端側に向かって伸びる外周側スリットが周方向に間隔
を空けて複数設けられており、前記内周側スリットと外周側スリットは周方向に交互に設けられているとよい。
【００１７】
これにより、板バネの内周側の剛性をより一層低下させることができ、樹脂製シールに対する押圧力が高くなり過ぎないように調整することが可能となる。また、内周側スリットと外周側スリットが交互に設けられることにより、周方向に連続的に繋がる環状の部分をなくすことができる。これにより、環境温度変化に伴って、板バネが熱膨張収縮することによる樹脂製シールへの押圧力の変動を抑制することが可能となる。
【００１８】
前記板バネの内周側は、密封対象領域側に向かって湾曲するように折り曲げ加工が施されているとよい。
【００１９】
これにより、軸が密封装置に挿入される際に、板バネの変形量を少なくすることができる。従って、板バネの変形量が弾性域を超えないようにすることが可能となる。
【００２０】
前記樹脂製シールの内周側は、密封対象領域側に向かって湾曲するように折り曲げ加工が施されているとよい。
【００２１】
これにより、軸を密封対象領域側から挿入させることも可能となる。
【００２２】
前記金属環の内周面側に固定される固定環を備えると共に、
前記金属環における密封対象領域とは反対側には径方向内側に向かって伸びる内向きフランジ部が設けられており、
前記固定環が前記金属環の内周面側に配置された状態で、前記金属環における密封対象領域側の端部が前記固定環の端部に突き当たるように径方向内側に向かって折り曲げられて加締め部が形成されることにより、前記樹脂製シールの外周側の端部と、前記板バネの外周側の端部が、前記内向きフランジ部と前記固定環との間に圧縮されることによって、これら樹脂製シールの外周側と板バネの外周側が前記金属環に固定されるとよい。
【００２３】
また、前記板バネの外周側には、前記金属環の内周面側に固定される固定環状部が設けられると共に、
前記金属環における密封対象領域とは反対側には径方向内側に向かって伸びる内向きフランジ部が設けられており、
前記板バネの固定環状部が前記金属環の内周面側に配置された状態で、前記金属環における密封対象領域側の端部が前記固定環状部の端部に突き当たるように径方向内側に向かって折り曲げられて加締め部が形成されることにより、前記樹脂製シールの外周側の端部が、前記内向きフランジ部と前記板バネとの間に圧縮されることによって、該樹脂製シールの外周側が前記金属環に固定されるようにすることもできる。
【００２４】
なお、上記各構成は、可能な限り組み合わせて採用し得る。
【発明の効果】
【００２５】
以上説明したように、本発明によれば、ハウジングが鋳物で構成される場合であっても、長期に亘って安定した密封性を維持することができる。
【図面の簡単な説明】
【００２６】
【図１】図１は本発明の実施例１に係る密封装置の平面図である。
【図２】図２は本発明の実施例１に係る密封装置の底面図である。
【図３】図３は本発明の実施例１に係る密封装置の模式的断面図である。
【図４】図４は本発明の実施例１に係る板バネの平面図である。
【図５】図５は本発明の実施例１に係る密封装置の使用状態を示す模式的断面図である。
【図６】図６は本発明の実施例１に係る密封装置の使用状態を示す一部破断斜視図である。
【図７】図７は本発明の実施例２に係る密封装置の模式的断面図である。
【図８】図８は本発明の実施例３に係る密封装置の模式的断面図である。
【図９】図９は本発明の実施例４に係る密封装置の模式的断面図である。
【図１０】図１０は本発明の実施例５に係る密封装置の底面図である。
【図１１】図１１は本発明の実施例５に係る板バネの平面図である。
【図１２】図１２は本発明の実施例５に係る密封装置の使用状態を示す一部破断斜視図である。
【図１３】図１３は本発明の実施例６に係る密封装置の模式的断面図である。
【図１４】図１４は従来例１に係る密封装置の模式的断面図である。
【図１５】図１５は従来例２に係る密封装置の模式的断面図である。
【発明を実施するための形態】
【００２７】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２８】
（実施例１）
図１〜図６を参照して、本発明の実施例１に係る密封装置について説明する。なお、本実施例に係る密封装置は、相対的に移動する軸とハウジングとの間の環状隙間を密封する役割を担っている。なお、軸とハウジングとの相対的な移動の具体的として、軸とハウジングが相対的に回転する場合、軸とハウジングが相対的に往復移動する場合、軸とハウジングが相対的に揺動する場合、及びこれらのいずれか２つ以上の動作が複合的に行われる場合を挙げることができる。
【００２９】
＜密封装置＞
本実施例に係る密封装置１００の構成について説明する。図１は本発明の実施例１に係る密封装置の平面図である。図２は本発明の実施例１に係る密封装置の底面図である。図３は本発明の実施例１に係る密封装置の模式的断面図である。なお、図３は図２中のＡＡ断面図である。図４は本発明の実施例１に係る板バネの平面図である。図５は本発明の実施例１に係る密封装置の使用状態を示す模式的断面図である。図６は本発明の実施例１に係る密封装置の使用状態を示す一部破断斜視図である。なお、図６は、本発明の実施例１に係る密封装置を切断した断面付近を斜めから見た様子を模式的に示した図である。また、図６においては、本発明の実施例１に係る密封装置の使用時の状態について、軸及びハウジングを省略して示している。
【００３０】
本実施例に係る密封装置１００は、金属環１１０と、樹脂製シール１２０と、板バネ１３０と、金属環１１０の内周面側に固定される金属製の固定環１４０とから構成される。金属環１１０は、ハウジング３００に設けられた軸孔の内周面に密着した状態で嵌合される円筒部１１１を備えている。また、金属環１１０には、円筒部１１１の一端側から径方向内側に向かって伸びる内向きフランジ部１１２と、円筒部１１１の他端側において径方向内側に向かって折り曲げられることにより形成される加締め部１１３が設けられている。なお、密封装置１００の使用時においては、上記の「一端側」は密封対象領域とは反対側（低圧側（Ｌ））に相当し、上記の「他端側」は密封対象領域側（高圧側（Ｈ））に相当する。
【００３１】
樹脂製シール１２０は、板状かつ環状の樹脂部材により構成される。なお、本実施例で用いられる樹脂材料としては、ＰＴＦＥ（ポリテトラフルオロエチレン）が採用されている。このＰＴＦＥは、耐熱性，耐圧性及び耐薬品性に優れ、かつ摺動摩耗が少ないといった特性を有している。また、本実施例に係る樹脂製シール１２０は、外周側が金属環１１０に固定されて、内周側が密封対象領域側（高圧側（Ｈ））に向かって湾曲するように変形した状態で軸２００の外周面に摺動自在に密着するように構成されている。
【００３２】
板バネ１３０は、板状かつ環状の金属部材により構成される。また、板バネ１３０は、外周側が金属環１１０に固定されて、内周側が樹脂製シール１２０に沿って湾曲するように変形し、樹脂製シール１２０の内周側の端部付近を径方向内側に向かって押圧するように構成されている。また、この板バネ１３０には、内周端から外周端側に向かって伸びる内周側スリット１３１が周方向に間隔を空けて複数設けられている。本実施例では、これら複数の内周側スリット１３１は、周方向に等間隔に設けられている。
【００３３】
固定環１４０は、金属環１１０の内周面側に固定される円筒部１４１と、円筒部１４１の一端側から径方向内側に向かって伸びる内向きフランジ部１４２とから構成される。そして、この固定環１４０が金属環１１０の内周面側に配置された状態で、金属環１１０における他端側（密封対象領域側）の端部が固定環１４０の端部に突き当たるように径方向内側に向かって折り曲げられて加締め部１１３が形成される。これにより、樹脂製シール１２０の外周側の端部と、板バネ１３０の外周側の端部が、内向きフランジ部１１２と固定環１４０との間に圧縮されることによって、これら樹脂製シール１２０の外周側と板バネ１３０の外周側が金属環１１０に固定される。
【００３４】
＜密封装置の装着方法及び使用時の状態＞
特に、図５及び図６を参照して、本実施例に係る密封装置１００の装着方法及び使用時の状態について説明する。まず、密封装置１００の装着方法について説明する。上記のように構成される密封装置１００は、ハウジング３００に設けられた軸孔内に挿入され、この軸孔内に嵌合される。このとき、密封装置１００における金属環１１０の円筒部１１１の外周面が、軸孔の内周面に密着した状態となる。そして、軸２００が図５中左側（使用時における密封対象領域とは反対側（低圧側（Ｌ）））から右側（使用時における密封対象領域側（高圧側（Ｈ）））に挿入される。これにより、樹脂製シール１２０及び板バネ１３０は、その内周側の端部が軸２００に押される。そのため、これら樹脂製シール１２０及び板バネ１３０は、内向きフランジ部１１２と固定環１４０との間に圧縮されている位置よりも内周側が密封対象領域側（高圧側（Ｈ））に向かって湾曲するように変形する。これにより、樹脂製シール１２０の湾曲した部分における先端付近の内周面が軸２００の外周面に密着した状態となる。また、板バネ１３０の湾曲した部分における先端付近の内周面が、樹脂製シール１２０の湾曲した部分における先端付近の外周面に密着した状態となる。そして、板バネ１３０の弾性復元力によって、板バネ１３０の先端付近の部分により、樹脂製シール１２０の湾曲した部分における先端付近が径方向内側に向かって押圧される。
【００３５】
＜本実施例に係る密封装置の優れた点＞
本実施例に係る密封装置１００は、ハウジング３００に設けられた軸孔の内周面に密着した状態で嵌合される円筒部１１１を有する金属環１１０を備える構成を採用している。これにより、ハウジング３００が鋳物（例えば、アルミニウム製の鋳物）で構成される場合であっても、金属環１１０の外周面とハウジング３００の軸孔の内周面との間に十分な密封性を得ることができる。つまり、ハウジング３００の軸孔の内周面に鋳巣のような微小の凹部が複数存在していても、密封性を発揮させることができる。
【００３６】
また、本実施例に係る密封装置１００は、板状かつ環状の樹脂部材により構成され、外
周側が金属環１１０に固定されて、内周側が密封対象領域側に向かって湾曲するように変形した状態で軸２００の外周面に摺動自在に密着する樹脂製シール１２０を備える構成を採用している。これにより、ゴム状弾性体製のシールを用いた場合に比べて、耐熱性等に優れ、かつ摺動摩耗を少なくすることができる。
【００３７】
そして、本実施例に係る密封装置１００は、樹脂製シール１２０の内周側を径方向内側に向かって押圧する板バネ１３０を備えている。従って、高温環境下で長時間使用されることによって、樹脂製シール１２０自体にへたりが生じても、長期に亘って安定した密封性を維持することができる。
【００３８】
また、本実施例に係る板バネ１３０には、内周端から外周端側に向かって伸びる内周側スリット１３１が周方向に間隔を空けて複数設けられている。これにより、板バネ１３０の内周側の剛性を低下させることができ、樹脂製シール１２０に対する押圧力が高くなり過ぎないように調整することが可能となる。なお、内周側スリット１３１の周方向及び径方向の寸法と、内周側スリット１３１の個数を適宜設定することによって、板バネ１３０による樹脂製シール１２０に対する押圧力を調整することができる。
【００３９】
（実施例２）
図７には、本発明の実施例２が示されている。本実施例においては、板バネの内周側が、密封対象領域側に向かって湾曲するように折り曲げ加工が施されている場合の構成について説明する。その他の構成および作用については実施例１と同一なので、同一の構成部分については同一の符号を付して、その説明は省略する。
【００４０】
本実施例に係る密封装置１００においても、上記実施例１の場合と同様に、金属環１１０と、樹脂製シール１２０と、板バネ１３０と、金属環１１０の内周面に固定される金属製の固定環１４０とから構成される。金属環１１０，樹脂製シール１２０及び固定環１４０の構成については、上記実施例１と同一であるので、その説明は省略する。
【００４１】
本実施例においては、板バネ１３０の内周側の部分１３０Ｘが、予め、密封装置１００の使用時における密封対象領域側（図中、右側）に向かって湾曲するように折り曲げ加工が施されている。そして、この点のみが、上記実施例１の場合と異なっている。上記実施例１で説明したように、密封装置１００に軸２００が挿入されることにより、板バネ１３０の内周側は、密封対象領域側（高圧側（Ｈ））に向かって湾曲するように変形する。
【００４２】
ここで、板バネ１３０による押圧力を長期に亘って安定させるためには、軸２００の挿入に伴って変形する板バネ１３０の変形量は、弾性域内に収めるのが望ましい。つまり、塑性変形が生じないようにするのが望ましい。上記実施例１の場合には、軸２００の挿入に伴う板バネ１３０の変形量が比較的多くなるため、変形量を弾性域内に収めることができない場合がある。そこで、本実施例においては、板バネ１３０の内周側の部分１３０Ｘに折り曲げ加工を施すことで、予め、ある程度塑性変形させている。これにより、軸２００の挿入に伴って変形する板バネ１３０の変形量を少なくすることができ、軸２００の挿入により変形する変形量を弾性域内に収めることが可能となる。
【００４３】
以上のように構成される密封装置１００においても、上記実施例１の場合と同様の効果を得ることができる。また、上記実施例１に係る密封装置１００の場合には、軸２００の挿入に伴って変形する板バネ１３０の変形量が弾性域を超えてしまう場合がある。これに対して、本実施例に係る密封装置１００の場合には、板バネ１３０の内周側の部分１３０Ｘに折り曲げ加工が施されることにより、軸２００の挿入に伴って変形する板バネ１３０の変形量が弾性域を超えてしまわないようにすることが可能となる。
【００４４】
（実施例３）
図８には、本発明の実施例３が示されている。本実施例においては、板バネの内周側が、密封対象領域側に向かって湾曲するように折り曲げ加工が施され、かつ、樹脂製シールの内周側も、密封対象領域側に向かって湾曲するように折り曲げ加工が施されている場合の構成について説明する。その他の構成および作用については実施例１と同一なので、同一の構成部分については同一の符号を付して、その説明は省略する。
【００４５】
本実施例に係る密封装置１００においても、上記実施例１の場合と同様に、金属環１１０と、樹脂製シール１２０と、板バネ１３０と、金属環１１０の内周面に固定される金属製の固定環１４０とから構成される。金属環１１０及び固定環１４０の構成については、上記実施例１と同一であるので、その説明は省略する。
【００４６】
本実施例においては、上記実施例２の場合と同様に、板バネ１３０の内周側の部分１３０Ｘが、予め、密封装置１００の使用時における密封対象領域側（図中、右側）に向かって湾曲するように折り曲げ加工が施されている。そして、本実施例の場合には、樹脂製シール１２０の内周側の部分１２０Ｘも、予め、密封装置１００の使用時における密封対象領域側に向かって湾曲するように折り曲げ加工が施されている。これらの点のみが、上記実施例１の場合と異なっている。
【００４７】
上記実施例１で説明したように、基本的に、軸２００は、使用時における密封対象領域とは反対側（低圧側（Ｌ））から密封対象領域側（高圧側（Ｈ））に挿入される。しかしながら、軸２００とハウジング３００の構造上、軸２００が使用時における密封対象領域側（高圧側（Ｈ））から密封対象領域とは反対側（低圧側（Ｌ））に挿入される場合もあり得る。この場合、上記実施例１に示す密封装置１００の場合には、樹脂製シール１２０及び板バネ１３０の内周側は密封対象領域とは反対側（低圧側（Ｌ））に向かって湾曲するように変形してしまう。この場合には、密封性が発揮されなくなってしまう。
【００４８】
そこで、本実施例に係る密封装置１００においては、板バネ１３０の内周側の部分１３０Ｘと樹脂製シール１２０の内周側の部分１２０Ｘに予め折り曲げ加工が施される構成を採用している。これにより、軸２００が使用時における密封対象領域側（高圧側（Ｈ））から密封対象領域とは反対側（低圧側（Ｌ））に挿入されることを可能としている。なお、樹脂製シール１２０に折り曲げ加工が施された状態で、樹脂製シール１２０の内周端の内径（最小部分の内径）が、軸２００の先端の外径よりも大きくなるように設定する必要があることは言うまでもない。
【００４９】
以上のように構成される密封装置１００においても、上記実施例１の場合と同様の効果を得ることができる。また、本実施例に係る密封装置１００においては、板バネ１３０の内周側の部分１３０Ｘに予め折り曲げ加工が施されているので、上記実施例２の場合と同様の効果も得ることができる。更に、本実施例に係る密封装置１００においては、軸２００が使用時における密封対象領域側（高圧側（Ｈ））から密封対象領域とは反対側（低圧側（Ｌ））に挿入される場合にも適用可能である。
【００５０】
（実施例４）
図９には、本発明の実施例４が示されている。本実施例においては、上記実施例１における板バネと固定環が一体となるように構成される場合について説明する。その他の構成および作用については実施例１と同一なので、同一の構成部分については同一の符号を付して、その説明は省略する。
【００５１】
本実施例に係る密封装置１００においては、金属環１１０と、樹脂製シール１２０と、板バネ１５０とから構成される。金属環１１０及び樹脂製シール１２０の構成については
、上記実施例１と同一であるので、その説明は省略する。
【００５２】
本実施例に係る板バネ１５０は、板バネ本体部１５１と、板バネ１５０の外周側に設けられ、金属環１１０の内周面に固定される固定環状部１５２とから構成される。つまり、本実施例においては、上記実施例１における板バネ１３０と固定環１４０が一体となっている。なお、板バネ本体部１５１の構成については、上記実施例１における板バネ１３０の構成と同様である。つまり、板バネ本体部１５１にも、内周端から外周端側に向かって伸びる内周側スリットが周方向に間隔を空けて複数設けられている。
【００５３】
本実施例においては、板バネ１３０の固定環状部１５２が金属環１１０の内周面側に配置された状態で、金属環１１０における密封対象領域側の端部が固定環状部１５２の端部に突き当たるように径方向内側に向かって折り曲げられて加締め部１１３が形成される。これにより、樹脂製シール１２０の外周側の端部が、金属環１１０の内向きフランジ部１１２と板バネ１５０との間に圧縮されることによって、樹脂製シール１２０の外周側が金属環１１０に固定される。
【００５４】
以上のように構成される密封装置１００においても、上記実施例１の場合と同様の効果を得ることができる。また、本実施例に係る密封装置１００においては、上記実施例１の場合に比べて部品点数を削減することができる。
【００５５】
なお、本実施例における板バネ１５０の構成は、上記実施例２及び実施例３にも適用可能である。言い換えれば、本実施例に係る密封装置１００において、実施例２の場合のように、板バネ本体部１５１に予め折り曲げ加工を施しても良い。また、本実施例に係る密封装置１００において、実施例３の場合のように、樹脂製シール１２０及び板バネ本体部１５１に予め折り曲げ加工を施しても良い。これにより、上記実施例２や実施例３の効果を得ることができる。
【００５６】
（実施例５）
図１０〜図１２には、本発明の実施例５が示されている。本実施例においては、板バネの構成が上記実施例１とは異なる場合について説明する。その他の構成および作用については実施例１と同一なので、同一の構成部分については同一の符号を付して、その説明は省略する。
【００５７】
図１０は本発明の実施例５に係る密封装置の底面図である。図１１は本発明の実施例５に係る板バネの平面図である。図１２は本発明の実施例５に係る密封装置の使用状態を示す一部破断斜視図である。なお、図１２は、本発明の実施例５に係る密封装置を切断した断面付近を斜めから見た様子を模式的に示した図である。また、図１２においては、本発明の実施例５に係る密封装置の使用時の状態について、軸及びハウジングを省略して示している。
【００５８】
本実施例に係る密封装置１００においても、上記実施例１の場合と同様に、金属環１１０と、樹脂製シール１２０と、板バネ１３０ａと、金属環１１０の内周面に固定される金属製の固定環１４０とから構成される。金属環１１０，樹脂製シール１２０及び固定環１４０の構成については、上記実施例１と同一であるので、その説明は省略する。
【００５９】
本実施例に係る板バネ１３０ａは、板状かつ環状の金属部材により構成される。また、板バネ１３０ａは、外周側が金属環１１０に固定されて、内周側が樹脂製シール１２０に沿って湾曲するように変形し、樹脂製シール１２０の内周側の端部付近を径方向内側に向かって押圧するように構成されている。
【００６０】
また、この板バネ１３０ａには、内周端から外周端側に向かって伸びる内周側スリット１３１ａが周方向に間隔を空けて複数設けられている。本実施例では、これら複数の内周側スリット１３１ａは、周方向に等間隔に設けられている。そして、本実施例においては、内周側スリット１３１ａが、内周端から外周端側に向かって、板バネ１３０ａが湾曲する位置よりも外周端側の位置まで伸びている点が上記実施例１の場合とは異なっている。
【００６１】
図１１中の点線１４２Ｌは、固定環１４０の内周端縁が接触する位置を示している。上記のように、板バネ１３０ａは、軸２００の挿入に伴って、金属環１１０の内向きフランジ部１１２と固定環１４０との間に圧縮されている位置よりも内周側が密封対象領域側（高圧側（Ｈ））に向かって湾曲するように変形する。つまり、図１１中の点線１４２Ｌよりも径方向の内側が湾曲するように変形する。本実施例においては、内周側スリット１３１ａが、内周端から外周端側に向かって、点線１４２Ｌよりも外周端側の位置まで伸びるように構成されている。
【００６２】
更に、本実施例に係る板バネ１３０ａには、外周端から内周端側に向かって伸びる外周側スリット１３２ａが周方向に間隔を空けて複数設けられている。本実施例では、これら複数の外周側スリット１３２ａは、周方向に等間隔に設けられている。そして、内周側スリット１３１ａと外周側スリット１３２ａは周方向に交互に設けられている。
【００６３】
以上のように構成される密封装置１００においても、上記実施例１の場合と同様の効果を得ることができる。また、本実施例に係る密封装置１００においては、内周側スリット１３１ａは、内周端から外周端側に向かって、板バネ１３０ａが湾曲する位置よりも外周端側の位置まで伸びる構成が採用されている。これにより、板バネ１３０ａの内周側の剛性をより一層低下させることができ、樹脂製シール１２０に対する押圧力が高くなり過ぎないように調整することが可能となる。
【００６４】
なお、板バネ１３０ａによる樹脂製シール１２０に対する押圧力の調整（押圧力を低減させるための調整）としては、板厚を薄くする方法と、内周側スリットの数を増やす方法がある。しかしながら、板厚を薄くするほど、板バネ１３０ａの先端は鋭利な形状となるため、樹脂製シール１２０に食い込んでしまい易くなり、樹脂製シール１２０を傷つけてしまい易くなる。また、内周側スリットの数を増やす場合においても、加工上、限度がある。また、内周側スリットの数を増やすほど、隣り合う内周側スリット間の部分も鋭利な形状となり、樹脂製シール１２０に食い込んでしまい易くなり、樹脂製シール１２０を傷つけてしまい易くなる。従って、板厚を薄くする方法と、内周側スリットの数を増やす方法だけでは、板バネ１３０ａによる樹脂製シール１２０に対する押圧力の調整には限度がある。従って、本実施例のように、内周側スリット１３１ａが、内周端から外周端側に向かって、板バネ１３０ａが湾曲する位置よりも外周端側の位置まで伸びる構成を採用することは、上記押圧力の調整に有効である。
【００６５】
また、本実施例に係る密封装置１００においては、板バネ１３０ａには、外周端から内周端側に向かって伸びる外周側スリット１３２ａが周方向に間隔を空けて複数設けられており、内周側スリット１３１ａと外周側スリット１３２ａが周方向に交互に設けられる構成を採用している。これにより、板バネ１３０ａの内周側の剛性をより一層低下させることができる。従って、上記の押圧力の調整がより一層簡単になる。
【００６６】
また、本実施例においては、内周側スリット１３１ａと外周側スリット１３２ａが交互に設けられることにより、板バネ１３０ａにおいて、周方向に連続的に繋がる環状の部分をなくすことができる。言い換えれば、板バネ１３０ａ上で、板バネ１３０ａと同心的な仮想円を描く場合に、内周側スリット１３１ａと外周側スリット１３２ａのいずれについても横切らない仮想円を描くことはできないように構成されている。ここで、板バネ１３
０ａと樹脂製シール１２０は材料が異なるため、両者の線膨張係数は異なっている。これにより、環境温度変化に伴う板バネ１３０ａと樹脂製シール１２０の膨張収縮量は異なる。この膨張収縮量の差が大きいと、上記の押圧力が大きく変動してしまう。本実施例においては、板バネ１３０ａにおいて、周方向に連続的に繋がる環状の部分をなくすことで、板バネ１３０ａと樹脂製シール１２０の膨張収縮量の差を低減させることが可能となる。つまり、環境温度が上昇するにしたがって、板バネは熱膨張によって径方向に伸びていく。このとき、板バネに、周方向に連続的に繋がる環状の部分が存在する場合、この部分の径方向の伸びは、そのまま樹脂製シール１２０に対する押圧力に影響することになる。これに対して、径方向に伸びるスリットが設けられている部分においては、径方向に伸びようとする変形を周方向の変形に変えることが可能となり、押圧力の増加を抑制することが可能となる。従って、本実施例のように、周方向に連続的に繋がる環状の部分をなくすことで、環境温度変化に伴って、板バネ１３０ａが熱膨張収縮することによる樹脂製シール１２０への押圧力の変動を抑制することが可能となる。
【００６７】
なお、上記実施例２及び実施例３において、これらの実施例で示した板バネ１３０の代わりに、本実施例で示した板バネ１３０ａを適用することも可能である。また、上記実施例４において、実施例４で示した板バネ１５０における板バネ本体部１５１に、本実施例で示した板バネ１３０ａの構成を適用することもできる。
【００６８】
（実施例６）
図１３には、本発明の実施例６が示されている。上記各実施例においては、金属環における密封対象領域側の端部を径方向内側に折り曲げることにより形成される加締め部によって、樹脂製シールなどの各種部材を金属環に固定させる場合の構成を説明した。これに対し、本実施例においては、加締め部を設けずに、固定環を金属環の内周面に圧入により嵌合させることで、各種部材を金属環に固定させる場合の構成について説明する。その他の構成および作用については実施例１と同一なので、同一の構成部分については同一の符号を付して、その説明は省略する。
【００６９】
本実施例に係る密封装置１００においても、上記実施例１の場合と同様に、金属環１１０と、樹脂製シール１２０と、板バネ１３０と、金属環１１０の内周面に固定される金属製の固定環１４０とから構成される。樹脂製シール１２０，板バネ１３０及び固定環１４０の構成については、上記実施例１と同一であるので、その説明は省略する。
【００７０】
本実施例における金属環１１０は、実施例１と同様に、円筒部１１１の一端側（密封対象領域とは反対側）から径方向内側に向かって伸びる内向きフランジ部１１２が設けられている。しかしながら、本実施例に係る金属環１１０の場合には、円筒部１１１の他端側（密封対象領域側）には加締め部が設けられていない。そして、本実施例の場合には、固定環１４０が金属環１１０の内周面（円筒部１１１の内周面）に圧入により嵌合されることによって、固定環１４０は金属環１１０に固定されている。なお、樹脂製シール１２０の外周側の端部と、板バネ１３０の外周側の端部が、内向きフランジ部１１２と固定環１４０との間に圧縮されることによって、これら樹脂製シール１２０の外周側と板バネ１３０の外周側が金属環１１０に固定される点については、上記実施例１の場合と同様である。
【００７１】
以上のように構成される密封装置１００においても、上記実施例１の場合と同様の効果を得ることができることは言うまでもない。なお、上記実施例２〜５において、本実施例で示した金属環１１０の構成を採用することも可能である。この場合、実施例２，３及び５においては、本実施例の場合と同様に、固定環１４０が金属環１１０の内周面に圧入により嵌合されることによって、固定環１４０は金属環１１０に固定される。これに対し、実施例４においては、板バネ１５０における固定環状部１５２が金属環１１０の内周面に
圧入により嵌合されることによって、板バネ１５０は金属環１１０に固定される。これにより、樹脂製シール１２０の外周側の端部が、金属環１１０の内向きフランジ部１１２と板バネ１５０との間に圧縮されることによって、樹脂製シール１２０の外周側が金属環１１０に固定される。
【符号の説明】
【００７２】
１００  密封装置
１１０  金属環
１１１  円筒部
１１２  内向きフランジ部
１１３  加締め部
１２０  樹脂製シール
１３０，１３０ａ  板バネ
１３１，１３１ａ  内周側スリット
１３２ａ  外周側スリット
１４０  固定環
１４１  円筒部
１４２  内向きフランジ部
１５０  板バネ
１５１  板バネ本体部
１５２  固定環状部
２００  軸
３００  ハウジング
【図１】
2015203491.tif 000003
【図２】
2015203491.tif 000004
【図３】
2015203491.tif 000005
【図４】
2015203491.tif 000006
【図５】
2015203491.tif 000007
【図６】
2015203491.tif 000008
【図７】
2015203491.tif 000009
【図８】
2015203491.tif 000010
【図９】
2015203491.tif 000011
【図１０】
2015203491.tif 000012
【図１１】
2015203491.tif 000013
【図１２】
2015203491.tif 000014
【図１３】
2015203491.tif 000015
【図１４】
2015203491.tif 000016
【図１５】
2015203491.tif 000017